(57)【要約】【課題】遊技盤の設計自由度を高めつつ、遊技球の挙動の面白みを維持する。【解決手段】パチンコ機１０は、レール部材２２および突部１０１,１０２,１０３の間の飛翔経路と、台板部５０の前側に形成され庇状部６１に沿って遊技球が流下する庇側流路５５ａと、を繋ぐ突部間流路５５ｂが形成され、板部材２０ａの装着口４５の内側において台板部５０の後方に位置する第１の装飾面部と、該第１の装飾面部に連なって、装着口４５よりも前側に廂状部６１の内周面が画成する空間９０ａに位置しかつ庇状部６１を装飾する庇飾り７１の後方に重なる第２の装飾面部と、を有する演出部材８２を備え、第１の装飾面部は、突部１０１,１０２,１０３の後方に重なる部位を有する。【選択図】図２
2018079390.tif 000002
【特許請求の範囲】
【請求項１】
遊技球が流下する遊技領域が前面に画成された板部材と、前記遊技領域の上部側に発射口が位置するよう設けられ、球発射装置から発射された遊技球を前記遊技領域へ誘導する発射通路と、前記発射通路の発射口から連なるよう設けられて前記遊技領域の外縁を画成するレール部材と、前記板部材に形成された装着口に取り付けられた枠状装飾体とを備えた遊技機において、
前記枠状装飾体は、
前記板部材より前側に突出すると共に、前記装着口の開口前側を横切るように延在して前記遊技領域を画成する壁状部と、
光透過性素材により形成され、前記壁状部より前記レール部材側に位置すると共に、前面側を遊技球が流下可能な台板部とを備え、
前記台板部は、前記装着口のうちで正面視において前記壁状部よりも前記レール部材側に位置する部分を前側から覆うよう構成され、
前記台板部から突出して前記レール部材との間に遊技球の球経路を形成するよう設けられた突部が、前記レール部材および前記壁状部の夫々に対して遊技球が通過可能な間隔をあけて位置するよう構成されて、
前記台板部の前側に、前記突部と前記壁状部との間を当該壁状部に沿って遊技球が流下する第１の流路が形成されると共に、前記球経路と前記第１の流路とを繋ぐ第２の流路が形成され、
前記装着口の内側において前記台板部の後方に位置する第１の装飾面部と、該第１の装飾面部に連なって、前記装着口よりも前側に前記壁状部の内周面が画成する空間に位置しかつ前記壁状部を装飾する飾り部の後方に重なる第２の装飾面部と、を有する演出部材を備え、前記第１の装飾面部が前記突部の後方に重なる部位を有するよう構成された
ことを特徴とする遊技機。
【発明の詳細な説明】
【技術分野】
【０００１】
本発明は、遊技領域を流下させた遊技球により遊技を行うよう構成された遊技機に関するものである。
【背景技術】
【０００２】
パチンコ機等の遊技機では、前面に遊技領域が画成された板部材と、該板部材の裏面に配設される設置部材とを有する遊技盤が機内に設置されると共に、遊技盤の設置部材には、当該遊技盤の演出や装飾を行う演出部材(演出装置)として、表示部に図柄変動演出を表示する図柄表示装置や、該図柄表示装置による図柄変動演出の内容に合わせて演出を行う発光演出装置または可動演出装置等が配設されている。また、遊技盤の遊技領域に開設された装着口には、内側に形成した窓口と遊技領域とを庇状部で区画する枠状装飾体(所謂センター役物)が前側から取り付けられて、枠状装飾体の窓口が装着口の内側に位置している。そして、枠状装飾体の窓口を介して演出部材が遊技盤の前側に臨んでいる(例えば、特許文献１参照)。
【先行技術文献】
【特許文献】
【０００３】
【特許文献１】特開２０１０−１３６９８９号公報
【発明の概要】
【発明が解決しようとする課題】
【０００４】
ところで、近年のパチンコ機においては、装着口を板部材に大きく形成することにより遊技盤の設計自由度が高められている。例えば、特許文献１のパチンコ遊技機では、設置部材に演出部材を配設する他、板部材の装着口を大きく形成して大型の枠状装飾体を取り付け、該枠状装飾体および設置部材に設けた演出部材によって遊技盤の演出効果を高めている。また、設置部材に設置される演出部材の大型化や視認性の向上を図る場合には、外形の大きな枠状装飾体に窓口が大きく形成されることもある。
【０００５】
しかし、遊技盤の大きさは有限であるため、枠状装飾体を大型化した場合には、該枠状装飾体の大型化に伴って遊技球が流下する遊技領域の縮小を招き、遊技球の挙動が変化の乏しいものとなって却って興趣が損なわれるという別個の問題が生じ得る。
【０００６】
そこで本発明は、従来の技術に内在する前記問題に鑑み、これらを好適に解決するべく提案されたものであって、遊技盤の設計自由度を高めつつ、遊技球の挙動の面白みを維持できる遊技機を提供することを目的とする。
【課題を解決するための手段】
【０００７】
前記課題を克服し、所期の目的を達成するため、本願請求項１に係る遊技機は、
遊技球が流下する遊技領域(21)が前面に画成された板部材(20a)と、前記遊技領域(21)の上部側に発射口(31)が位置するよう設けられ、球発射装置から発射された遊技球を前記遊技領域(21)へ誘導する発射通路(30)と、前記発射通路(30)の発射口(31)から連なるよう設けられて前記遊技領域(21)の外縁を画成するレール部材(22)と、前記板部材(20a)に形成された装着口(45)に取り付けられた枠状装飾体(25)とを備えた遊技機において、
前記枠状装飾体(25)は、
前記板部材(20a)より前側に突出すると共に、前記装着口(45)の開口前側を横切るように延在して前記遊技領域(21)を画成する壁状部(61)と、
光透過性素材により形成され、前記壁状部(61)より前記レール部材(22)側に位置すると共に、前面側を遊技球が流下可能な台板部(50)とを備え、
前記台板部(50)は、前記装着口(45)のうちで正面視において前記壁状部(61)よりも前記レール部材(22)側に位置する部分(45b)を前側から覆うよう構成され、
前記台板部(50)から突出して前記レール部材(22)との間に遊技球の球経路を形成するよう設けられた突部(101,102,103)が、前記レール部材(22)および前記壁状部(61)の夫々に対して遊技球が通過可能な間隔をあけて位置するよう構成されて、
前記台板部(50)の前側に、前記突部(101,102,103)と前記壁状部(61)との間を当該壁状部(61)に沿って遊技球が流下する第１の流路(55a)が形成されると共に、前記球経路と前記第１の流路(55a)とを繋ぐ第２の流路(55b)が形成され、
前記装着口(45)の内側において前記台板部(50)の後方に位置する第１の装飾面部と、該第１の装飾面部に連なって、前記装着口(45)よりも前側に前記壁状部(61)の内周面が画成する空間(90a)に位置しかつ前記壁状部(61)を装飾する飾り部(71)の後方に重なる第２の装飾面部と、を有する演出部材(82)を備え、前記第１の装飾面部が前記突部(101,102,103)の後方に重なる部位を有するよう構成されたことを要旨とする。
請求項１に係る発明によれば、装着口の前側に流路を画成することで遊技球が流下し得る遊技領域の面積を維持しつつ、多種多様な演出部材を設置することが可能となる。また、台板部から突出するよう突部を設けることで、発射通路の発射口から遊技領域に導出された遊技球を突部に当接させて挙動に変化を与えることができる。従って、遊技球の挙動に一喜一憂する遊技者の興趣を損うことがない。
【０００８】
本願には、次のような技術的思想が含まれる。
前記枠状装飾体(25)は、開閉部材(40a)により入賞口を開閉可能な入賞部(40)を備え、
前記入賞部(40)より前記レール部材(22)側に位置して当該入賞部(40)の入賞口が臨む前記台板部(50)の前面側を、遊技球が流下可能に構成され、
遊技球が入球可能なゲート部(38)が、前記台板部(50)の前面から前方へ突出するよう設けられたことを要旨とする。
また、本願には、次のような技術的思想が含まれる。
前記台板部(50)の前面側に遊技球が一列で通過可能な通路幅で案内路(57)が形成されると共に、前記案内路(57)を前側から視認可能に覆う前壁部(112)が設けられ、
前記前壁部(112)は、前記案内路(57)より前記空間(90a)側に延出する延出部分を備え、
前記延出部分の後面に、前記枠状装飾体(25)に取着される取着部(112a)が設けられると共に、前記延出部分における前記空間(90a)側の縁から後方へ突出するようカバー部(112b)が設けられて、当該カバー部(112b)によって前記取着部(112a)が前記空間(90a)側から覆われるよう構成されたことを要旨とする。
また、本願には、次のような技術的思想が含まれる。
前記前壁部(112)の後面には、前記案内路(57)内に突出すると共に当該案内路(57)の通路幅方向に延在する突状部(113)が設けられたことを要旨とする。
また、本願には、次のような技術的思想が含まれる。
前記突部(103)には、前記発射通路(30)の発射口(31)に近接する側から離間する側に向かって下方傾斜する傾斜面(103c)と、該傾斜面(103c)における前記発射通路(30)の発射口(31)に近接する傾斜上端部から上方へ突出する球止め部(103e)とが設けられて、当該傾斜面(103c)および球止め部(103e)により前記流路(55)から前記ガイド部(27)側への遊技球の移動を制限するよう構成されたことを要旨とする。
上記構成によれば、流路から発射通路の発射口側へ向かおうとする遊技球の勢いを突部の傾斜面によって削ぐことができ、発射口からの遊技球の放出が妨げられるのを抑制できる。また、球止め部を傾斜面の傾斜上端部に設けることにより、傾斜面を上り移動する遊技球を球止め部によって該傾斜面の下流側に戻すことができるから、該傾斜面を上り移動する遊技球が発射通路の発射口から放出される遊技球の進行の妨げになることはない。
【０００９】
本願には、次のような技術的思想が含まれる。
前記台板部(50)には、前記発射通路(30)の発射口(31)より上側領域に前記突部(101,102,103)が複数設けられ、該上側領域に設けられる複数の突部(101,102,103)の内で最も前記発射通路(30)の発射口(31)に近接する突部(103)に前記移動制限手段(103c,103e)が設けられることを要旨とする。
上記構成によれば、複数の突部の内で最も発射通路の発射口に近接する突部に移動制限手段を設けることにより、発射球が集中する発射口近傍において遊技球の逆戻りを効果的に防ぎ、発射口からの遊技球の放出が妨げられるのを抑制できる。
【００１０】
本願には、次のような技術的思想が含まれる。
前記遊技領域(21)から発射通路(30)の発射口(31)へ向けた遊技球の流入を防止する閉位置および前記発射通路(30)の発射口(31)から遊技領域(21)へ向けた遊技球の流出を許容する開位置に変位する球戻り防止片(32)が、前記発射通路(30)の発射口(31)に対応して設けられる取付部(33)に配設され、
前記台板部(50)には、前記取付部(33)を挟んで前記発射通路(30)の発射口(31)とは反対側に位置するよう保護突部(104)が設けられ、該保護突部(104)によって前記流路(55)を流下する遊技球が前記取付部(33)に当接するのを規制するよう構成されたことを要旨とする。
上記構成によれば、枠状装飾体の台板部に保護突部を設け、台板部の前側に画成された流路から流下する遊技球が取付部に当接するのを保護突部で規制することにより、取付部を保護するための遊技釘を板部材に設ける必要はなく、板部材の装着口を最大限に拡張でき設置部材に設置される演出部材の大型化や視認性の向上を図ることができる。また、装着口を枠状装飾体の台板部が覆って前側に流路を形成することにより、遊技球が流下し得る遊技領域の面積が縮小することはない。
【発明の効果】
【００１１】
本発明に係る遊技機によれば、遊技盤の設計自由度を高めつつ、遊技球の挙動の面白みを維持できる。
【図面の簡単な説明】
【００１２】
【図１】実施例に係るパチンコ機を示す正面図である。
【図２】実施例に係る遊技盤を示す正面図である。
【図３】実施例に係る遊技盤から枠状装飾体を分離させた状態を示す分解斜視図である。
【図４】実施例に係る枠状装飾体を示す正面図である。
【図５】実施例に係る枠状装飾体を示す分解斜視図である。
【図６】実施例に係る遊技盤の装着口と枠状装飾体の庇状部との関係を示す要部拡大図である。
【図７】(ａ)は枠状装飾体の要部を示す背面図であり、(ｂ)は板部材と枠状装飾体の延出部との関係を示す正面図である。
【図８】図１０のＤ−Ｄ線断面図である。
【図９】(ａ)は枠状装飾体から前壁部を分解して背面から見た要部斜視図であり、(ｂ)は図２のＡ−Ａ線断面図である。
【図１０】図２のＢ−Ｂ線断面図である。
【図１１】図２のＣ−Ｃ線断面図である。
【図１２】実施例に係る遊技盤の流路を示す拡大図である。
【図１３】実施例に係る遊技盤の案内路の関係を示す説明図である。なお、案内路および減速リブを２点鎖線で示している。
【図１４】(ａ)は図１０のＸ部拡大図であり、(ｂ)は第２平坦部の形成部位における案内路の断面図である。
【発明を実施するための形態】
【００１３】
次に、本発明に係る遊技機につき、好適な実施例を挙げて、添付図面を参照しながら以下詳細に説明する。なお、遊技機としては、遊技球としてパチンコ球を用いて遊技が行われるパチンコ機を例にして説明する。また、以下の説明において、「前」、「後」、「左」、「右」とは、特に断りのない限り、図１に示すようにパチンコ機１０を前側(遊技者側)から見た状態で指称する。
【実施例】
【００１４】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が開閉および着脱可能に組み付けられて、該遊技盤２０の裏側に、所定条件の成立を契機として演出用の図柄を変動表示させて図柄変動演出を行う図柄表示装置(図柄表示手段)１７が着脱可能に配設されている。また、前記中枠１２の前面側には、前記遊技盤２０の遊技領域２１と対応する位置に視認口１３ａが開口する装飾枠としての前枠１３が開閉可能に組み付けられている。そして、前枠１３には、ガラス板や透明な合成樹脂板で形成された透視保護板１８が視認口１３ａを覆うよう配設されており、遊技盤２０を前側から目視可能な状態で保護している。また、前記中枠１２の右下方位置には、該中枠１２に配設された球発射装置(図示せず)を作動する操作ハンドル１６が設けられている。
【００１５】
(遊技盤２０について)
前記遊技盤２０は、図２および図３に示すように、透明な合成樹脂材(例えば、ポリカーボネイトやアクリル)により略矩形状に形成された板部材２０ａと、この板部材２０ａの後側(裏側)に配設される設置部材２０ｂとを備えており、これら板部材２０ａおよび設置部材２０ｂを取付基台として複数の部品が着脱可能に取り付けられて構成されている。前記設置部材２０ｂは、前側に開口する箱状に形成され、前端の開口が板部材２０ａの後面の外縁に近接して該板部材２０ａの後面の略全体を覆うように配設されている。この設置部材２０ｂの内側には、入球部(固定始動入賞部３９ａ、可変始動入賞部３９ｂおよび特別入賞部４０)に入球したパチンコ球を機外に排出するための球通路ユニットや、遊技に合わせた発光や動作等の演出を行ったり装飾を形成したりする各種の演出部材(演出装置)８２が取り付けられ、１つの複合体としての裏ユニットを構成している。実施例の設置部材２０ｂには、演出に合わせて枠状装飾体２５の後述する台板部５０を後から照らす発光手段８２ａを備えた演出部材８２が設置されている。前記設置部材２０ｂの後面には図柄表示装置１７が着脱可能に配設され、該図柄表示装置１７の表示面は、板部材２０ａの中央部から前側に臨んでいる。なお、実施例の板部材２０ａは設置部材２０ｂの前側を透視可能な構成とされているが、板部材２０ａの裏面に不透明な装飾シートを貼付したり、板部材２０ａの素材としてベニヤ等の合板を採用することで、板部材２０ａの裏側を透視できないように構成してもよい。
【００１６】
(板部材について)
図２、図６および図８に示すように、前記板部材２０ａの前面にはレール部材２２が設けられており、該レール部材２２によってパチンコ球が流下する略円形の遊技領域２１が画成されている。そして、前記板部材２０ａにおける遊技領域２１の内側に前記入球部が設けられると共に、該遊技領域２１の最下部位置にアウト口２３が開設され、該アウト口２３を介して遊技領域２１からパチンコ球が排出される。前記レール部材２２としては、板部材２０ａの前面における左下部から右上部にかけて円弧状に延在する外レール２２ａと、この外レール２２ａの内側に中央下部から左上部にかけて並んで延在する内レール２２ｂと、板部材２０ａの前面右側において外レール２２ａの右上部および内レール２２ｂの間に亘って設けられ、左側面が円弧形状の凹面をなす右側盤面飾り部材２２ｃとから構成されている。そして、内レール２２ｂと、右側盤面飾り部材２２ｃと、外レール２２ａ(詳しくは、外レール２２ａにおける左上部から右上部にかけての部位)とによって、略円形の遊技領域２１が板部材２０ａの前面に画成されている。また、板部材２０ａの中央下部から左上部に亘って並んで延在する内レール２２ｂおよび外レール２２ａの間には、球発射装置から発射されたパチンコ球を外レール２２ａに沿って案内して発射口３１から遊技領域２１の発射領域(後述)に放出する発射通路３０が画成されている。すなわち、発射口３１から遊技領域２１の発射通路３０に打ち出されたパチンコ球は、遊技領域２１の発射領域に打ち込まれる。なお、以下の説明では、外レール２２ａの左上部から右上部にかけての部位(発射口３１から連なって遊技領域２１の上縁を画成する部位)をガイド部２７と指称する。
【００１７】
図２および図３に示すように、前記内レール２２ｂの上端部(発射通路３０の発射口３１側の端部)には、発射口３１を開閉する球戻り防止片３２が取り付けられる取付部３３が設置されている。前記球戻り防止片３２は、取付部３３に固定される基部３２ｂと、遊技領域２１から発射口３１へ向けたパチンコ球の流入を防止する閉位置および発射口３１から遊技領域２１へ向けたパチンコ球の流出を許容する開位置に変位する開閉部３２ａとを備えている。球戻り防止片３２は、薄い金属板により形成されており、発射通路３０を飛翔するパチンコ球の衝突を受けた場合に開閉部３２ａが遊技領域２１側の開位置に弾性変形して発射口３１からのパチンコ球の放出を許容する一方、遊技領域２１から発射通路３０へ戻ろうとするパチンコ球が開閉部３２ａに当接した場合に該開閉部３２ａが外レール２２ａに当接して遊技領域２１から発射口３１へのパチンコ球の流入を防ぐよう構成されている。また取付部３３は、図３に示すように、内レール２２ｂの上端部を構成する壁部３３ｂと、該上端部に対向するよう内レール２２ｂに連接される連接壁部３３ａとによって前方および遊技領域２１に開口する凹状に形成されており、前記球戻り防止片３２の基部３２ｂを取付部３３に嵌め込んで固定する簡易な構造とされている。また、前記ガイド部２７を挟んで発射口３１と反対側に位置する部位(外レール２２ａの右端部)には、ガイド部２７に沿って飛翔したパチンコ球の衝突を受けて該パチンコ球の勢いを低減させる緩衝部材(右打ちゴム)２４が配設されている。
【００１８】
図２に示すように、前記板部材２０ａの前面には、前記入球部として、ゲート部３８,３８、固定始動入賞部３９ａ、可変始動入賞部３９ｂ、特別入賞部４０,４０が、遊技盤設置部品(枠状装飾体２５、複合入賞ユニット３６、特別入賞ユニット３７)の適宜位置に夫々設けられている。ゲート部３８のゲート口にパチンコ球が入球すると、当該パチンコ球はメイン制御基板(図示せず)に配線接続されたゲートセンサ(図示せず)によって検出される。そして、メイン制御基板は、ゲートセンサがパチンコ球を検出したことによる検出信号の入力を条件として抽選を実行すると共に、当該抽選の結果に基づいて可変始動入賞部３９ｂの始動入賞口を開閉する開閉部材３９ｃを作動制御して始動入賞口をパチンコ球が入球し得る状態に変化させる。また、始動入賞部３９ａ,３９ｂの始動入賞口にパチンコ球が入球すると、当該パチンコ球はメイン制御基板に配線接続された始動入球検出センサ(図示せず)によって検出される。そして、メイン制御基板は、始動入球検出センサがパチンコ球を検出したことによる検出信号の入力を条件として抽選を実行すると共に、当該抽選の結果に基づいて特別入賞部４０の大入賞口を開閉する開閉部材４０ａを作動制御して大入賞口をパチンコ球が入球し得る状態に変化させる。なお実施例では、前記可変始動入賞部３９ｂが前記合流領域に配設されている。
【００１９】
図３、図６および図７(ｂ)に示すように、前記板部材２０ａには、前後に開口するよう開設された装着口４５に、窓口２５ａが前後に開口する枠状装飾体２５が取り付けられており、窓口２５ａを介して図柄表示装置１７の表示面を前方から視認し得るように構成されている。枠状装飾体２５は、前記板部材２０ａの前面に沿うよう台板部５０が形成され、台板部５０の後面を装着口４５の開口縁に当接させてネジ止めすることで当該枠状装飾体２５が板部材２０ａの前面に取り付けられている。なお、装着口４５は、後述する流路５５および案内路５７が前記台板部５０の前側に画成される部分では、該流路５５および案内路５７の後側を開口領域に含むよう形成され、開口縁が前記レール部材２２に近接する位置(具体的には、パチンコ球の直径より離間寸法が小さい位置)まで及ぶように拡大されている。
【００２０】
(枠状装飾体について)
図２、５、図７(ａ)に示すように、前記枠状装飾体２５には、前記板部材２０ａにおける装着口４５の開口前面に当接する薄板環状の前記台板部５０と、該台板部５０の前面から前方に突出する庇状部６１と、該台板部５０の後面から後方に延出する延出部６５とが形成され、庇状部６１および延出部６５により前記窓口２５ａが形成されている。枠状装飾体２５は、台板部５０の外縁部(延出部６５より外側)を前記装着口４５の開口縁に当接させて板部材２０ａの前面にネジ固定することで板部材２０ａの前面に取り付けられている。実施例では、前記枠状装飾体２５が透明な合成樹脂により形成されている。
【００２１】
前記枠状装飾体２５の右下部分には、右方(右側盤面飾り部材２２ｃ側)に延出して前面が遊技領域２１(後述する第２球流下領域２１ｂ)に臨むゲート用延出部２５ｂが設けられ、該ゲート用延出部２５ｂには、入球部としてのゲート部３８が設けられている。なお、前記ゲート用延出部２５ｂは、パチンコ球が一列で通過する案内路５７の通出口５７ａから下方に離間した位置に設けられている。案内路５７およびゲート用延出部２５ｂの間には、複数の遊技釘２６が設けられた遊技領域２１(第２球流下領域２１ｂ)の一部が複数のパチンコ球が並んで通過可能な幅で画成されている。前記ゲート部３８は、前記庇状部６１との間および右側盤面飾り部材２２ｃとの間にパチンコ球が夫々通過可能となるようにゲート用延出部２５ｂに形成されている。すなわち、案内路５７の通出口５７ｃが開口する遊技領域２１の下方位置に、複数のパチンコ球が並んで流下可能な幅で流下領域(第２球流下領域２１ｂの一部)が画成され、該流下領域に入球部としてのゲート部３８が設けられている。従って、案内路５７を通過するパチンコ球を一列で速やかに移動させつつ、案内路５７を通過した後に第２球流下領域２１ｂを流下するパチンコ球の挙動に対する遊技者の関心を惹き付けることができる。
【００２２】
前記台板部５０の前面には、図４および図５に示すように、窓口２５ａの開口外側に沿う位置に、板部材２０ａの前面より前方に突出する庇状部６１が上部から左右側部に亘って設けられ、板部材２０ａに枠状装飾体２５が取り付けられた状態では当該庇状部６１によって窓口２５ａと遊技領域(流下領域)２１とが区画される。ここで、前記遊技領域２１は、枠状装飾体２５における庇状部６１の頂部６１Ｔを分岐点として、パチンコ球が枠状装飾体２５の左側部を流下する第１球流下領域２１ａと、パチンコ球が枠状装飾体２５の右側部を流下する第２球流下領域２１ｂとが設けられており、操作ハンドル１６を回動操作して打球力を調節することにより、パチンコ球が第１球流下領域２１ａを流下する遊技形態およびパチンコ球が第２球流下領域２１ｂを流下する遊技形態の何れかを遊技者が任意に選択し得るようになっている。また、前記遊技領域２１には、当該第１および第２球流下領域２１ａ,２１ｂを流下したパチンコ球が合流する合流領域が設けられている。なお、以下の説明では、前記ガイド部２７と前記庇状部６１との間に画成される第１球流下領域２１ａの上部を発射領域と指称する場合がある。すなわち発射領域は、発射口３１から放出されるパチンコ球が直接的に導かれる領域となっている。
【００２３】
また、前記枠状装飾体２５には、図４および図５に示すように、前記庇状部６１を装飾する庇飾り７１と、前記窓口２５ａに臨む図柄表示装置１７の表示面の下側に設けられてパチンコ球を転動させるステージ板７２と、当該ステージ板７２の上方を覆うように位置して該ステージ板７２を転動するパチンコ球の表示面側への飛び込みを防止する区画保護板７３と、前記第１球流下領域２１ａを流下するパチンコ球を前記ステージ板７２に導くワープ通路の一部を構成する通路部材７４と、後述する案内路５７の前側を画成する前壁部１１２とがネジにより取着されている。
【００２４】
(庇状部について)
図２に示すように、前記枠状装飾体２５には、前記窓口２５ａ(前側の開口領域９０ａ)と遊技領域２１とを区画する前記庇状部６１が設けられている。庇状部６１は、前記台板部５０の上部から左右側部に亘って延在すると共に、該台板部５０の内周縁に沿って前方に突出するよう設けられている。庇状部６１には、該庇状部６１の頂部６１Ｔから左方に下方傾斜して第１球流下領域２１ａを画成する左転動面６２と、頂部６１Ｔから右方に下方傾斜して第２球流下領域２１ｂを画成する右転動面６３とが形成され、遊技領域２１に打ち出されたパチンコ球は庇状部６１上で滞ることなく第１球流下領域２１ａまたは第２球流下領域２１ｂを流下する。台板部５０の前側において左転動面６２は、図２、図４、図８および図１２に示すように、台板部５０から前方に突出する複数の突部１０１,１０２,１０３,１０４,１０５(後述)と離間して対向し、該突部１０１,１０２,１０３,１０４,１０５との間にパチンコ球が一列で通過可能な庇側流路５５ａ(流路５５の一部)を画成している。また、庇状部６１における右転動面６３は、離間して対向する前記ガイド部２７との間にパチンコ球が一列で通過可能な上流経路５７ａ(案内路５７の一部)を画成すると共に、流路変更部１１１(後述)との間にパチンコ球が一列で通過可能な下流経路５７ｂ(案内路５７の一部)を画成している。
【００２５】
図２、図６および図１２に示すように、庇状部６１における頂部６１Ｔより左側(図６における第１および第２球流下領域２１ａ,２１ｂの境界ＢＬより左側)に位置する部位は、板部材２０ａより前側に突出すると共に装着口４５の開口前側に延在し、板部材２０ａの正面視において庇状部６１より第１球流下領域２１ａ側に位置する発射領域側開口領域４５ｂと、庇状部６１より窓口２５ａ側に位置する窓口側開口領域４５ａとに装着口４５を区画するようになっている。この発射領域側開口領域４５ｂの前側は、前記台板部５０で覆われており、この発射領域側開口領域４５ｂを覆う台板部５０の前側に、第１球流下領域２１ａ(発射領域の一部をなす流路５５)が画成されている。また、庇状部６１における頂部６１Ｔより右側(図６における第１および第２球流下領域２１ａ,２１ｂの境界ＢＬより右側)に位置する部位は、板部材２０ａより前側に突出すると共に装着口４５の開口前側に延在し、板部材２０ａの正面視において庇状部６１より第２球流下領域２１ｂ側に位置する流下経路側開口領域４５ｃと、庇状部６１より窓口２５ａ側に位置する前記窓口側開口領域４５ａとに装着口４５を区画するようになっている。この流下経路側開口領域４５ｃの前側には、当該流下経路側開口領域４５ｃを覆うように台板部５０が位置している。そしてこの流下経路側開口領域４５ｃを覆う台板部５０の前側に、前記第２球流下領域２１ｂ(案内路５７)が画成されている。このように、板部材２０ａの前面側では、庇状部６１の左転動面６２と、台板部５０と、外レール２２ａおよび内レール２２ｂとの間に第１球流下領域２１ａの上部領域が画成され、庇状部６１の右転動面６３と、台板部５０と、外レール２２ａおよび右側盤面飾り部材２２ｃとの間に第２球流下領域２１ｂの上部領域が画成されている。
【００２６】
(延出部について)
図７および図１２に示すように、前記枠状装飾体２５における台板部５０の後面には、装着口４５の開口内側に延出する延出部６５が形成されている。この延出部６５は、枠状装飾体２５の剛性を担保するリブとして機能している。また、延出部６５は、板部材２０ａの厚み寸法と略同じ延出寸法で台板部５０の後面から延出し(図９(ｂ)および図１０参照)、枠状装飾体２５が板部材２０ａに取り付けられた状態で全体が装着口４５の内側に位置するよう設けられる。前記延出部６５は、基本的には該装着口４５の開口内面に沿って延在するよう設けられ、内側に前記窓口２５ａの開口領域の後側部分(後側の開口領域９０ｂ)を画成している。但し、延出部６５において後述する突部１０３,１０４の後側に延在する一部は、装着口４５の開口内面から離間して、突部１０３,１０４の周壁をなす壁部Ｗ１,Ｗ２,Ｗ３(図１２参照)と前後に並ぶように形成されている。
【００２７】
図１０および図１１に示すように、前記庇状部６１および延出部６５の内側に形成される窓口２５ａは、庇状部６１の内側に画成される開口領域９０ａと、延出部６５の内側に画成される開口領域９０ｂとが前後に連続するように形成されている。そして、台板部５０の内周縁側に偏って庇状部６１が設けられると共に当該台板部５０の外周縁側に偏って延出部６５が設けられることで、前側の開口領域９０ａよりも後側の開口領域９０ｂの開口面積が大きく形成されている。すなわち、前記窓口２５ａは、開口幅が前記板部材２０ａの奥行き方向に拡大するよう設けられており、図１０に示すように、庇状部６１の内面の後縁部Ｐａと、延出部６５の内面の後縁部Ｐｂとを通過する直線Ｌ１が、装着口４５の開口縁より外側の範囲に位置する演出部材８２の表面に至るよう構成されている。すなわち、遊技盤２０は、パチンコ機１０の前側から視認口１３ａおよび窓口２５ａを通じて、前側の開口領域９０ａより外側に位置する範囲が視認でき、更には、装着口４５の開口縁より外側に位置する範囲が視認できるようになっている。また、図１１に示すように、前後の開口領域９０ａ,９０ｂには、収容空間８０に設置された演出部材８２の一部が該収容空間８０の前側に延出して入り込んでいる。すなわち、前記遊技盤２０では、演出部材８２の一部を収容するためのスペースとして前後の開口領域９０ａ,９０ｂが利用されており、これによって設置部材２０ｂにおける収容空間８０の前側に張り出す立体的な演出部材８２を採用している。
【００２８】
(流路および突部について)
図４、図８および図１２に示すように、台板部５０の前側には、発射領域側開口領域４５ｂを前側から覆う部位に、前方に突出する複数の突部１０１,１０２,１０３,１０４,１０５が設けられ、突部１０１,１０２,１０３,１０４,１０５によりパチンコ球の流路５５が形成されている。なお、流路５５は、第１球流下領域２１ａにおける発射領域の一部を形成するものである。第１〜第５突部１０１,１０２,１０３,１０４,１０５は、遊技釘２６の外形よりも大きなブロック状に形成され、前記庇状部６１の延在方向に(左転動面６２に)隣接する突部１０１,１０２,１０３,１０４,１０５同士がパチンコ球の直径以上離間するよう相互に間隔をあけて設けられている。台板部５０の前側において前記発射口３１より上側には、発射口３１から放出されたパチンコ球の飛翔経路を前記ガイド部２７との間に画成する第１〜第３突部１０１,１０２,１０３が設けられ、前記発射口３１より下側には、前記取付部３３に隣接して位置する第４突部１０４と、内レール２２ｂとの間にパチンコ球が流下する経路を画成する第５突部１０５とが設けられている。なお、以下の説明では、球発射装置により発射されたパチンコ球がガイド部２７に沿って飛翔して枠状装飾体２５または緩衝部材２４に衝突するまでの経路を飛翔経路と指称する。
【００２９】
前記第１〜第５突部１０１,１０２,１０３,１０４,１０５は、前記庇状部６１の左転動面６２に対してパチンコ球の直径以上かつ該直径の２倍以下の間隔をあけて対向するよう設けられている。ここで、前記台板部５０の前側において、前記庇状部６１の左転動面６２と、該左転動面６２に離間して対向する第１〜第５突部１０１,１０２,１０３,１０４,１０５の各対向面１０１ａ,１０２ａ,１０３ａ,１０４ａ,１０５ａとの間には、パチンコ球が一列で転動可能な庇側流路５５ａ(流路５５の一部)が画成されている。また、第１突部１０１と第２突部１０２との間、第２突部１０２と第３突部１０３との間および第３突部１０３と第４突部１０４との間には、パチンコ球を庇側流路５５ａへ向けて流下させるための突部間流路５５ｂが夫々画成され、各突部間流路５５ｂの下端が庇側流路５５ａに接続している。
【００３０】
前記庇側流路５５ａを画成する左転動面６２は、図８に示すように、傾斜角度が異なる複数の面部６２ａ,６２ｂ,６２ｃ,６２ｄ,６２ｅ,６２ｆ,６２ｇが連続する階段状に形成されている。すなわち、左転動面６２は、頂部６１Ｔを傾斜上端として第１突部１０１に次第に接近するよう下方傾斜した後に傾斜を緩めて第１突部１０１の前記対向面１０１ａと略平行に延在する凹曲面状の第１面部６２ａと、第１面部６２ａの傾斜下端部より急勾配で下方傾斜するよう該第１面部６２ａの傾斜下端に連続し、第１突部１０１の左端の下方から第２突部１０２の左端の下方にかけて該第２突部１０２の前記対向面１０２ａと略平行に延在する平面状の第２面部６２ｂと、該第２面部６２ｂの傾斜下端部より緩勾配で下方傾斜するよう該第２面部６２ｂの傾斜下端に連続し、第２突部１０２および第３突部１０３の間の突部間流路５５ｂに臨む平面状の第３面部６２ｃと、第３面部６２ｃの傾斜下端部より急勾配で下方傾斜するよう該第３面部６２ｃの傾斜下端に連続し、第３突部１０３の前記対向面１０３ａと略平行に延在する平面状の第４面部６２ｄと、第４面部６２ｄの傾斜下端部より緩勾配で下方傾斜するよう該第４面部６２ｄの傾斜下端に連続し、第３突部１０３および第４突部１０４の間の突部間流路５５ｂに臨む第５面部６２ｅとを有している。また、左転動面６２は、第５面部６２ｅの傾斜下端に連続して第４突部１０４の凸曲面状をなす前記対向面１０４ａと略平行に延在する凹曲面状の第６面部６２ｆと、第６面部６２ｆの下端に連続して第５突部１０５の凸曲面状をなす前記対向面１０５ａと略平行に延在する凹曲面状の第７面部６２ｇとを有している。
【００３１】
なお、前記第１面部６２ａは、第２突部１０３の対向面１０２ａが該第１面部６２ａの傾斜方向の延長上に位置するよう設けられている。前記第３面部６２ｃは、第３突部１０３の対向面１０３ａが該第３面部６２ｃの傾斜方向の延長上に位置するよう設けられている。また、前記第５面部６２ｅは、第４突部１０４の対向面１０４ａが該第５面部６２ｅの傾斜方向の延長上に位置するよう設けられている。すなわち、庇側流路５５ａは、左転動面６２を転動するパチンコ球を第２、第３および第４突部１０２,１０３,１０４に衝突させて当該パチンコ球を減速し得るよう構成されている。
【００３２】
(第１突部について)
図４、図８および図１２に示すように、前記第１突部１０１は、前記ガイド部２７からパチンコ球の直径以上に離間するよう設けられ、発射口３１から前記発射領域に発射されたパチンコ球がガイド部２７との間を通過して第２球流下領域２１ｂ側に飛翔したり、ガイド部２７の途中で飛翔する勢いを失って突部１０１の上に落下したりするのを許容するよう設けられている。そして、第１突部１０１における庇状部６１の左転動面６２との対向面１０１ａが、当該左転動面６２から１個のパチンコ球が通過可能な間隔で離間するよう構成されて、当該対向面１０１ａと庇状部６１との間にパチンコ球が一列で流下可能な前記庇側流路５５ａの一部を画成するようになっている。
【００３３】
また、図８に示すように、前記第１突部１０１は、発射口３１に近接する側(左側)の端部から離間する側(右側)の端部にかけて次第にガイド部２７に近接するよう延在する受け面１０１ｂが設けられており、当該受け面１０１ｂがガイド部２７に対向するようになっている。このように、第１突部１０１の受け面１０１ｂは、当該受け面１０１ｂに直交する垂線が発射口３１側に傾くよう形成されている。すなわち、発射口３１から発射領域に打ち出されて第１突部１０１の受け面１０１ｂにパチンコ球が接触した際に、当該受け面１０１ｂの傾斜により減勢してパチンコ球が庇状部６１に接触する際の衝撃を緩和すると共に、発射口３１から離間する方向(庇状部６１の頂部６１Ｔ側)へパチンコ球を受け流し得るよう構成されている。このように、第１突部１０１の受け面１０１ｂに接触したパチンコ球を、発射口３１から離間する方向に受け流すことで、ガイド部２７に沿って打ち出される次のパチンコ球との接触を回避して、当該次のパチンコ球の飛翔を阻害するのを防ぐようになっている。
【００３４】
また、図８に示すように、前記第１突部１０１は、前記受け面１０１ｂの傾斜上端部に、発射口３１から離間する側(右側)に下方傾斜する傾斜面１０１ｃが連続するよう設けられており、当該傾斜面１０１ｃが前記ガイド部２７に対向するようになっている。前記第１突部１０１の傾斜面１０１ｃは、当該傾斜面１０１ｃに直交する垂線が発射口３１から離間する側に傾くよう形成されている。すなわち、発射口３１から発射領域に打ち出されて第１突部１０１の傾斜面１０１ｃに接触したパチンコ球を、当該傾斜面１０１ｃの傾斜により減勢してパチンコ球が庇状部６１に接触する際の衝撃を緩和すると共に、発射口３１から離間する方向(庇状部６１の頂部６１Ｔ側)へパチンコ球を受け流し得るよう構成されている。また、第１突部１０１の傾斜面１０１ｃは、その傾斜により傾斜面１０１ｃ上のパチンコ球をガイド部２７から離間する方向へ転動させるよう構成されており、前記発射領域において台板部５０の前側に画成された流路５５からガイド部２７側へのパチンコ球の移動を制限する移動制限手段として機能するようになっている。すなわち、第１突部１０１の傾斜面１０１ｃに接触するパチンコ球を、発射口３１から離間する方向に受け流すことで、ガイド部２７に沿って打ち出される次のパチンコ球との接触を回避して、当該次のパチンコ球の飛翔を阻害するのを防ぐようになっている。なお、前記第１突部１０１の傾斜面１０１ｃの傾斜下端部は、当該第１突部１０１の前記対向面１０１ａの上端部に連続するよう構成されている。
【００３５】
更に、第１突部１０１には、前記受け面１０１ｂの傾斜下端と対向面１０１ａの傾斜下端部の夫々に連設する側面１０１ｄを有している。第１突部１０１の側面１０１ｄは、第２突部１０２の後述する傾斜面１０２ｃに対向すると共に、発射口３１に近接する側(左側)へ向けて突出する曲面状に形成されており、発射口３１から放出されたパチンコ球を受けて庇側流路５５ａ側に落下させるようになっている。すなわち、第１突部１０１の側面１０１ｄに接触するパチンコ球を庇側流路５５ａ側に落下させるよう弾くことで、ガイド部２７に沿って打ち出される次のパチンコ球との接触を回避して、当該次のパチンコ球の飛翔を阻害するのを防ぐようになっている。
【００３６】
(第２突部について)
前記第２突部１０２は、図８に示すように、前記ガイド部２７からパチンコ球の直径以上に離間するよう設けられ、発射口３１から前記発射領域に発射されたパチンコ球がガイド部２７との間を通過して第２球流下領域２１ｂ側に飛翔したり、ガイド部２７の途中で飛翔する勢いを失って突部１０１,１０２の上に落下したりするのを許容するよう設けられている。そして、第２突部１０２における庇状部６１の左転動面６２との対向面１０２ａが、当該左転動面６２から１個のパチンコ球が通過可能な間隔で離間するよう構成されて、当該対向面１０２ａと庇状部６１との間にパチンコ球が一列で流下可能な前記庇側流路５５ａの一部を画成するようになっている。
【００３７】
前記第２突部１０２は、発射口３１に近接する側(左側)の端部から離間する側(右側)の端部にかけて次第にガイド部２７に近接するよう延在する受け面１０２ｂが設けられており、当該受け面１０２ｂがガイド部２７に対向するようになっている。このように、第２突部１０２の受け面１０２ｂは、当該受け面１０２ｂに直交する垂線が発射口３１側に傾くよう形成されている。すなわち、発射口３１から発射領域に打ち出されて第２突部１０２の受け面１０２ｂにパチンコ球が接触した際に、当該受け面１０２ｂの傾斜により減勢してパチンコ球が庇状部６１に接触する際の衝撃を緩和するようになっている。また、第２突部１０２の受け面１０２ｂの水平面に対する傾斜角度は、前記第２突部１０２の受け面１０１ｂの水平面に対する傾斜角度と比べて大きくなるよう形成されている。すなわち、発射口３１から発射領域に打ち出されて第２突部１０２の受け面１０２ｂに接触したパチンコ球を、第１突部１０１側または第３突部１０３側に跳ね返し得るよう構成されている。
【００３８】
また、図８に示すように、前記第２突部１０２は、前記受け面１０２ｂの傾斜上端部に、発射口３１から離間する側(右側)に下方傾斜する傾斜面１０２ｃが連続するよう設けられており、当該傾斜面１０２ｃが前記ガイド部２７に対向するようになっている。前記第２突部１０２の傾斜面１０２ｃは、当該傾斜面１０２ｃに直交する垂線が発射口３１から離間する側に傾くよう形成されている。すなわち、発射口３１から発射領域に打ち出されて第２突部１０２の傾斜面１０２ｃに接触したパチンコ球を、当該傾斜面１０２ｃの傾斜により減勢してパチンコ球が庇状部６１に接触する際の衝撃を緩和すると共に、発射口３１から離間する方向(第１突部１０１側)へパチンコ球を受け流し得るよう構成されている。また、第２突部１０２の傾斜面１０２ｃは、その傾斜により傾斜面１０２ｃ上のパチンコ球をガイド部２７から離間する方向へ転動させるよう構成されており、前記発射領域において台板部５０の前側に画成された流路５５からガイド部２７側へのパチンコ球の移動を制限する移動制限手段として機能するようになっている。すなわち、第２突部１０２の傾斜面１０２ｃに接触するパチンコ球を、発射口３１から離間する方向に受け流すことで、ガイド部２７に沿って打ち出される次のパチンコ球との接触を回避して、当該次のパチンコ球の飛翔を阻害するのを防ぐようになっている。なお、前記第２突部１０２の傾斜面１０２ｃの傾斜下端部は、当該第２突部１０２の前記対向面１０２ａの上端部に連続するよう構成されている。
【００３９】
更に、第２突部１０２には、前記受け面１０２ｂの傾斜下端と対向面１０２ａの傾斜下端部の夫々に連設する側面１０２ｄを有している。第２突部１０２の側面１０２ｄは、第２突部１０２の後述する傾斜面１０２ｃに対向すると共に、発射口３１に近接する側(左側)へ向けて突出する曲面状に形成されており、発射口３１から放出されたパチンコ球を受けて庇側流路５５ａ側に落下させるようになっている。すなわち、第２突部１０２の側面１０２ｄに接触するパチンコ球を庇側流路５５ａ側に落下させるよう弾くことで、ガイド部２７に沿って打ち出される次のパチンコ球との接触を回避して、当該次のパチンコ球の飛翔を阻害するのを防ぐようになっている。
【００４０】
ここで、前記第２突部１０２は、図８に示すように、前記ガイド部２７から第２突部１０２までの離間距離は、ガイド部２７から第１突部１０１および第３突部１０３までの離間距離よりも大きくなるように前記枠状装飾体２５に設けられている。すなわち、ガイド部２７と第２突部１０２との間に大きなスペースを確保することで、第２突部１０２の受け面１０２ｂへ向けたパチンコ球の打ち出しおよび第２突部１０２の傾斜面１０２ｃへ向けたパチンコ球の打ち出しが容易となっている。また、第２突部１０２の受け面１０２ｂが、第１および第３突部１０１,１０３の受け面１０１ｂ,１０３ｂと較べてガイド部２７から大きく離間することで、受け面１０２ｂに接触して跳ね返ったパチンコ球が発射口３１側に跳ね返ったとしてもガイド部２７までは至り難く、ガイド部２７に沿うパチンコ球の飛翔を阻害しないよう構成されている。なお、第２突部１０２の対向面１０２ａは前述の如く、庇状部６１の左転動面６２に離間して対向するよう設けられ、該庇状部６１との間で前記庇側流路５５ａの一部を画成している。
【００４１】
(第３突部について)
前記第３突部１０３は、図８に示すように、前記ガイド部２７に対してパチンコ球の直径以上に離間するよう設けられ、発射口３１から前記発射領域に発射されたパチンコ球がガイド部２７との間を通過して第２球流下領域２１ｂ側に飛翔したり、ガイド部２７の途中で飛翔する勢いを失って突部１０１,１０２,１０３の上に落下したりするのを許容するよう設けられている。そして、第３突部１０３における庇状部６１の左転動面６２との対向面１０３ａが、当該左転動面６２から１個のパチンコ球が通過可能な間隔で離間するよう構成されて、当該対向面１０３ａと庇状部６１との間にパチンコ球が一列で流下可能な前記庇側流路５５ａの一部を画成するようになっている。
【００４２】
また、図８に示すように、前記第３突部１０３は、前記第３突部１０３は、発射口３１に近接する側(左側)の端部から離間する側(右側)の端部にかけて次第にガイド部２７に近接するよう延在する受け面１０３ｂが設けられており、当該受け面１０３ｂがガイド部２７に対向するようになっている。このように、第３突部１０３の受け面１０３ｂは、当該受け面１０３ｂに直交する垂線が発射口３１側に傾くよう形成されている。すなわち、発射口３１から発射領域に打ち出されて第３突部１０３の受け面１０３ｂにパチンコ球が接触した際に、当該受け面１０３ｂの傾斜により減勢してパチンコ球が庇状部６１に接触する際の衝撃を緩和すると共に、発射口３１から離間する方向(第２突部１０２側)へパチンコ球を受け流し得るよう構成されている。このように、第３突部１０３の受け面１０３ｂに接触したパチンコ球を、発射口３１から離間する方向に受け流すことで、ガイド部２７に沿って打ち出される次のパチンコ球との接触を回避して、当該次のパチンコ球の飛翔を阻害するのを防ぐようになっている。
【００４３】
また、図８に示すように、前記第３突部１０３は、前記受け面１０３ｂの傾斜上端部に、発射口３１から離間する側(右側)に下方傾斜する傾斜面１０３ｃが設けられており、当該傾斜面１０３ｃが前記ガイド部２７に対向するようになっている。前記第３突部１０３の傾斜面１０３ｃは、当該傾斜面１０３ｃに直交する垂線が発射口３１から離間する側に傾くよう形成されている。すなわち、発射口３１から発射領域に打ち出されて第３突部１０３の傾斜面１０３ｃに接触したパチンコ球を、当該傾斜面１０３ｃの傾斜により減勢してパチンコ球が庇状部６１に接触する際の衝撃を緩和すると共に、発射口３１から離間する方向(第２突部１０２側)へパチンコ球を受け流し得るよう構成されている。また、第３突部１０３の傾斜面１０３ｃは、その傾斜により傾斜面１０３ｃ上のパチンコ球をガイド部２７から離間する方向へ転動させるよう構成されており、前記発射領域において台板部５０の前側に画成された流路５５からガイド部２７側へのパチンコ球の移動を制限する移動制限手段として機能するようになっている。すなわち、第３突部１０３の傾斜面１０３ｃに接触するパチンコ球を、発射口３１から離間する方向に受け流すことで、ガイド部２７に沿って打ち出される次のパチンコ球との接触を回避して、当該次のパチンコ球の飛翔を阻害するのを防ぐようになっている。なお、前記第３突部１０３の傾斜面１０３ｃの傾斜下端部は、当該第３突部１０３の前記対向面１０３ａの上端部に連続するよう構成されている。
【００４４】
更に、第３突部１０３には、前記受け面１０３ｂの傾斜下端と対向面１０３ａの傾斜下端部の夫々に連設する側面１０３ｄを有している。第３突部１０３の側面１０３ｄは、第２突部１０２の後述する傾斜面１０２ｃに対向すると共に、発射口３１に近接する側(左側)へ向けて突出する曲面状に形成されており、発射口３１から放出されたパチンコ球を受けて庇側流路５５ａ側に落下させるようになっている。すなわち、第３突部１０３の側面１０３ｄに接触するパチンコ球を庇側流路５５ａ側に落下させるよう弾くことで、ガイド部２７に沿って打ち出される次のパチンコ球との接触を回避して、当該次のパチンコ球の飛翔を阻害するのを防ぐようになっている。
【００４５】
図８および図１２に示すように、前記第３突部１０３には、傾斜面１０３ｃにおける前記発射口３１に近接する傾斜上端部から上方へ突出する球止め部１０３ｅが設けられている。この球止め部１０３ｅは、傾斜面１０３ｃの面方向に突出し、先端に向かうにつれて当該傾斜面１０３ｃ側に窄まる突起状に設けられている。また、球止め部１０３ｅは、第３突部１０３(傾斜面１０３ｃ)においてガイド部２７に最も近接する部位に設けられ、台板部５０の外縁近くに位置している。すなわち、球止め部１０３ｅは、第１および第２突部１０１,１０２よりも発射口３１に近接する第３突部１０３に設けられると共に、前記発射領域において台板部５０の前側に画成された前記流路５５からガイド部２７側(発射口３１側)へのパチンコ球の移動を制限する移動制限手段として機能している。
【００４６】
ここで、第３突部１０３の外周面の一部を形成する壁部Ｗ１(傾斜面１０３ｃおよび球止め部１０３ｅを形成する壁部)および壁部Ｗ２(対向面１０３ａを形成する壁部)と前後に並ぶように当該壁部Ｗ１,Ｗ２に沿って前記延出部６５が延在している。すなわち、第３突部１０３は、流路５５からガイド部２７側へのパチンコ球の移動を制限するための壁部Ｗ１と、前記庇状部６１の左転動面６２(第３面部６２ｃ)を転動するパチンコ球の衝突を受け易い壁部Ｗ２とが、台板部５０ｂにおいて剛性が高められる延出部６５の前側に位置するよう設けられている。
【００４７】
(第４突部)
図８および図１２に示すように、前記第４突部１０４は、前記取付部３３の連接壁部３３ａに対して右方に隣接して設けられており、前記庇状部６１の左転動面６２(第５面部６２ｅ)を転動する過程で第４突部１０４がパチンコ球を受け止めて取付部３３への接触を防止するよう構成されている。具体的には、第５面部６２ｅの傾斜方向の延長上に第４突部１０４が位置している。すなわち、第４突部１０４は、庇側流路５５ａを転動するパチンコ球が取付部３３に衝突するのを防止する保護突部として機能している。
【００４８】
ここで、第４突部１０４の後側に位置する部位では、前記延出部６５が、第４突部１０４の外周面の一部(対向面１０４ａ)を構成する壁部Ｗ３と前後に並ぶように当該壁部Ｗ３に沿って延在している。すなわち、第４突部１０４は、第５面部６２ｅの下端部の延長線上に位置する壁部Ｗ３が、台板部５０において延出部６５の前側に位置するよう設けられており、第４突部１０４(壁部Ｗ３)の剛性を高めてある。なお、壁部Ｗ３は、当該第４突部１０４において前記取付部３３の連接壁部３３ａに対向する壁部Ｗ４よりも板厚が大きく形成されている。すなわち、前記庇状部６１の左転動面６２(第５面部６２ｅ)を転動するパチンコ球の衝突を受け易い壁部Ｗ３は、パチンコ球が当接しない壁部Ｗ４と較べて剛性が高められている。
【００４９】
(第５突部)
図８および図１２に示すように、前記第５突部１０５は、上端部１０５Ｔが尖った形状とされ、内レール２２ｂとの間および庇状部６１との間に、前記上端部１０５Ｔを分岐点とする２つの経路を画成している。第５突部１０５の上端部１０５Ｔは、左転動面６２の第６面部６２ｅの下端部の延長線上に位置するよう設けられ、第６面部６２ｅに沿って転動するパチンコ球が第５突部１０５の上端部１０５Ｔへ向けて移動するようになっている。すなわち、前記第４突部１０４および第６面部６２ｅの間を通過したパチンコ球が第５突部１０５と接触する角度や位置、パチンコ球の勢いによって、内レール２２ｂとの間の経路や庇状部６１との間の経路(庇側流路５５ａ)にパチンコ球を流下させ、台板部５０の前側に画成される流路５５を通って遊技盤２０(板部材２０ａ)前面の遊技領域２１(第１球流下領域２１ａ)を流下するパチンコ球の挙動に変化を与えるようになっている。
【００５０】
(案内路について)
図６および図８に示すように、前記第２球流下領域２１ｂにおいて前記台板部５０は、前記装着口４５における流下経路側開口領域４５ｃを前側から覆うように位置している。装着口４５において流下経路側開口領域４５ｃに対応する開口縁の一部はレール部材２２に近接するよう形成され、当該開口縁を覆う台板部５０の外縁部もレール部材２２に近接して沿うように延在している。前記緩衝部材２４より左側に延在する右転動面６３の一部と、前記ガイド部２７との間には、前記庇状部６１の頂部６１Ｔから前記緩衝部材２４にかけて緩やかな湾曲状に下方傾斜する上流経路５７ａが画成されている。また、緩衝部材２４より下方に延在する右転動面６３の一部と、前記右側盤面飾り部材２２ｃとの間には、右側盤面飾り部材２２ｃに対して近接および離間する方向に蛇行する下流経路５７ｂが画成され、該下流経路５７ｂには上流経路５７ａを通過したパチンコ球が流下するよう設けられている。これら上流経路５７ａおよび下流経路５７ｂは、一列のパチンコ球が通過可能な通路幅でパチンコ球を案内する案内路５７として台板部５０の前側に画成されている。
【００５１】
なお、案内路５７の通出口５７ｃは、図２、図８および図１３に示すように、第２球流下領域２１ｂにおける下流側の流下領域に向けて、前記板部材２０ａの前側で開口するよう設けられている。この流下領域は、複数のパチンコ球が並んで流下可能な幅に画成されており、台板部５０に設けられたゲート部(入球部)３８が位置すると共に、該ゲート部３８の周囲に位置するよう複数の遊技釘２６が板部材２０ａの前面に植設されている。すなわち、発射口３１を介して庇状部６１の頂部６１Ｔを越える位置に打ち出されたパチンコ球は、前記上流経路５７ａおよび下流経路５７ｂを流下した後に、パチンコ球の直径の２倍以上の幅に画成されてゲート部３８および複数の遊技釘２６が設けられる流下領域に案内されるようになっている。
【００５２】
(上流経路)
図１３に示すように、前記上流経路５７ａは、前記右転動面６３とガイド部２７との間においてパチンコ球の直径以上かつ該直径の２倍以下となる略一定の幅寸法(例えば約２０ｍｍ)で画成され、ガイド部２７に沿うパチンコ球が右方の緩衝部材２４に向けて飛翔すると共に右転動面６３に沿うパチンコ球が右方の緩衝部材２４に向けて転動するよう構成されている。また、上流経路５７ａを前側に画成する台板部５０の外縁は、前記ガイド部２７との離間寸法が略一定でパチンコ球の半径以上かつパチンコ球の直径以下(例えば約６ｍｍ)となる位置に延在している。そして、上流経路５７ａの後側には、開口縁がガイド部２７近くに及ぶよう形成された装着口４５の一部である前記流下経路側開口領域４５ｃが位置している。
【００５３】
(下流経路)
図１３に示すように、前記下流経路５７ｂを画成する前記庇状部６１の右転動面６３の一部は、前記緩衝部材２４と対向する位置から下方に延在するよう形成されている。この右転動面６３には、下方に延在して右側盤面飾り部材２２ｃに次第に接近するよう湾曲する湾曲面６３ａが形成され、下流経路５７ｂを流下する過程で湾曲面６３ａを転動するパチンコ球を右側盤面飾り部材２２ｃ側に導くようになっている。また、右転動面６３の一部および右側盤面飾り部材２２ｃの間には、下流経路５７ｂを流下するパチンコ球の流下方向を変更する流路変更部１１１が設けられている。流路変更部１１１には、右側盤面飾り部材２２ｃに沿って延在する第１平坦部１１１ａと、該第１平坦部１１１ａの下流端に連設されて右転動面６３に次第に近づくよう湾曲する第１曲面部１１１ｂと、該第１曲面部１１１ｂの下流端に連設されて右側盤面飾り部材２２ｃに沿って延在する第２平坦部１１１ｃと、該第２平坦部１１１ｃの下流端に連設されて右側盤面飾り部材２２ｃに次第に近づくよう湾曲する第２曲面部１１１ｄとが交互に設けられ、下流経路５７ｂを流下する過程で流路変更部１１１の第１平坦部１１１ａに沿って流下するパチンコ球を第１曲面部１１１ｂに沿って窓口２５ａ側に導くようになっている。すなわち、複数の湾曲面６３ａを有する庇状部６１の右転動面６３と、流路変更部１１１(第１および第２平坦部１１１ａ,１１１ｃ、第１および第３曲面部１１１ｂ,１１１ｄ)との間に、一列のパチンコ球が通過可能な通路幅で右側盤面飾り部材２２ｃに接近および離間するよう蛇行する下流経路５７ｂが画成されている。なお、流路変更部１１１には、３つの第１平坦部１１１ａおよび３つの第２平坦部１１１ｃを有し、これらを第１および第２曲面部１１１ｂ,１１１ｄで繋ぐよう構成されている。
【００５４】
図８および図１３に示すように、前記流路変更部１１１における最下部に位置する第１曲面部１１１ｂの下端には、右側盤面飾り部材２２ｃ側から窓口２５ａ側に緩やかに下方傾斜する整流部１１１ｅが連続して形成されている。一方、右転動面６３に形成される上側の２つの湾曲面６３ａは、流路変更部１１１における第１曲面部１１１ｂの延長上に位置すると共に当該第１曲面部１１１ｂの下側に位置する第１平坦部１１１ａが当該湾曲面６３ａの延長上に位置するよう設けられている。また、右転動面６３に形成される最下部の湾曲面６３ａは、整流部１１１ｅに対向する上側部分と、整流部１１１ｅを転動するパチンコ球が導かれる下側部分とからなり、当該下側部分が案内路５７の通出口５７ｃに連続するよう形成されている。すなわち、下流経路５７ｂは、右転動面６３における上側２つの湾曲面６３ａと、流路変更部１１１の第１および第２平坦部１１１ａ,１１１ｃ、第１および第３曲面部１１１ｂ,１１１ｄとが対向し、流路変更部１１１が右側盤面飾り部材２２ｃに沿って延在する部分では、パチンコ球を右転動面６３および流路変更部１１１に交互に衝突させて減速する。一方、右転動面６３における最下部の湾曲面６３ａと流路変更部１１１の整流部１１１ｅとが対向する通出口５７ｃ側では、整流部１１１ｅ上でパチンコ球を整流して案内路５７の通出口５７ｃに導くよう構成されている。
【００５５】
前述したように、前記装着口４５は、前記案内路５７(上流経路５７ａおよび下流経路５７ｂ)の後側に位置する前記流下経路側開口領域４５ｃに対応する開口縁が、前記レール部材２２(外レール２２ａのガイド部２７、右側盤面飾り部材２２ｃ)に近接して沿うように形成されている。ここで、流下経路側開口領域４５ｃの前側を覆う前記台板部５０の外縁部は、右側盤面飾り部材２２ｃとの離間寸法が略一定でパチンコ球の直径以下(実施例では４ｍｍ)となる位置に延在し、当該台板部５０の外縁部の前側において前記流路変更部１１１が板状に形成されている。そして、板状の流路変更部１１１は、図１０および図１３に示すように、右側盤面飾り部材２２ｃと装着口４５の開口縁との間でパチンコ球の直径より小さい幅で設けられる板部材２０ａの前面の前側に位置して、前記下流経路５７ｂを画成している。すなわち、下流経路５７ｂは、装着口４５の開口縁に沿って、当該装着口４５の前側(流下経路側開口領域４５ｃの前側)に位置するよう設けられている。
【００５６】
図７(ｂ)に示すように、前記装着口４５の内側には、前記枠状装飾体２５の延出部６５が当該装着口４５の開口内面に近接して沿うように延在している。ここで、流路変更部１１１の第１平坦部１１１ａは、図１４(ａ)に示すように、装着口４５の開口縁と右側盤面飾り部材２２ｃとの間で板部材２０ａの前面側に位置している。すなわち、第１平坦部１１１ａを右側盤面飾り部材２２ｃに近接させて設けることで、案内路５７を蛇行状に形成しつつ、窓口２５ａを大きく形成することができる。また、前記流路変更部１１１は、図１４(ｂ)に示すように、右側盤面飾り部材２２ｃに沿って延在する第２平坦部１１１ｃが延出部６５と前後に並ぶように延在している。すなわち、流路変更部１１１において右転動面６３を流下するパチンコ球を受ける第２平坦部１１１ｃは、台板部５０において延出部６５の前側に位置することで剛性が高められている。
【００５７】
図３および図９に示すように、前記庇状部６１および流路変更部１１１は、前記枠状装飾体２５と一体成形されており、該庇状部６１および流路変更部１１１の前側には、下流経路５７ｂの前側を画成する前壁部１１２が取り付けられている。
【００５８】
前壁部１１２は、下流経路５７ｂの蛇行形状に沿う板面形状とされ、左縁部が案内路５７の範囲よりやや大きく延出している。当該延出部分の後面には、枠状装飾体２５の庇状部６１に当該前壁部１１２をネジで取着するためのボス部１１２ａが突設されている。また、当該前壁部１１２には、前記ボス部１１２ａが前記窓口２５ａ側に露出するのを防ぐためのカバー部１１２ｂが、前記延出部分の左縁から後方に突出して案内路５７の通路方向に延在するよう形成されている。更に、前壁部１１２の後面には、図９に示すように、案内路５７を通過するパチンコ球の流速が過剰とならないよう減速するための減速リブ１１３が設けられている。この減速リブ１１３は、図１３に示すように、下流経路５７ｂが直線状となる部位(第１平坦部１１１ａまたは第２平坦部１１１ｃに対応する通路位置)に対応して通路幅方向に延在する筋状に突設されている。
【００５９】
(実施例の作用)
前記枠状装飾体２５の庇状部６１は、該枠状装飾体２５が板部材２０ａに取り付けられた状態で板部材２０ａの前面より前方に突出して前記窓口２５ａと第１球流下領域２１ａとを区画するように位置すると共に、前記装着口４５の前側に該装着口４５を横切るように延在して、正面視で装着口４５を窓口側開口領域４５ａおよび発射領域側開口領域４５ｂに区画する。また、前記台板部５０は、装着口４５の発射領域側開口領域４５ｂを覆って前面側に発射領域３４の一部(流路５５)を画成するよう設けられる。すなわち、装着口４５の発射領域側開口領域４５ｂの前側に発射領域の一部が画成されることで、装着口４５の開口を大きくしつつ、パチンコ球が流下し得る遊技領域２１(第１球流下領域２１ａ)を装着口４５(発射領域側開口領域４５ｂ)の前側に形成することができる。また、装着口４５の開口を大きくすることで、板部材２０ａに干渉することなく設置部材２０ｂに配設可能な演出部材８２の設置スペースを確保することができ、装着口４５(発射領域側開口領域４５ｂ)に臨むように演出部材８２を配置する等、多様な形態で演出部材８２を配置することが可能となる。また、枠状装飾体２５における台板部５０の後側に重なるように演出部材８２が位置することで、台板部５０を透過して演出部材８２を見せることができる。また、設置部材２０ｂに設けた演出部材８２の発光手段８２ａにより、流路５５を前側に形成する台板部５０を発光装飾することができ、発光領域の装飾効果の向上を図ることができる。
【００６０】
また、前記庇状部６１は、前記板部材２０ａより前側に突出して前記窓口２５ａと第２球流下領域２１ｂとを区画するように位置すると共に、前記装着口４５の前側に該装着口４５を横切るように延在して、正面視で装着口４５を窓口側開口領域４５ａおよび流下経路側開口領域４５ｃに区画する。また、台板部５０は、装着口４５の流下経路側開口領域４５ｃを覆って前面側に案内路５７を画成するよう設けられる。すなわち、装着口４５の流下経路側開口領域４５ｃの前側に案内路５７が画成されることで、装着口４５の開口を大きくしつつ、パチンコ球が流下し得る遊技領域２１(第２球流下領域２１ｂ)の面積を装着口４５(流下経路側開口領域４５ｃ)の前側に確保することができる。また、装着口４５の開口を大きくすることで、板部材２０ａに干渉することなく設置部材２０ｂに配設可能な演出部材８２の設置スペースを確保することができる。また、枠状装飾体２５における台板部５０の後側に重なるように演出部材８２が位置することで、台板部５０を透過して演出部材８２を見せることができ、装着口４５(流下経路側開口領域４５ｃ)に臨むように演出部材８２を配置する等、多様な形態で演出部材８２を配置することが可能となる。また、設置部材２０ｂに設けた演出部材８２の発光手段８２ａにより、案内路５７を前側に形成する台板部５０を発光装飾することができ、第２球流下領域２１ｂの装飾効果の向上を図ることができる。
【００６１】
前記枠状装飾体２５には、庇状部６１の内側に画成される前側の開口領域９０ａと、延出部６５の内側に画成されて前側の開口領域９０ａに連続する後側の開口領域９０ｂとからなる窓口２５ａが形成される。ここで、枠状装飾体２５は、前記庇状部６１が装着口４５の開口前側に延在するよう設けられているの対し、前記延出部６５が装着口４５の開口内面に沿って延在するよう設けられている。すなわち、延出部６５および庇状部６１の形状差によって前記後側の開口領域９０ｂの開口幅が前記前側の開口領域９０ａの開口幅より大きく形成され、枠状装飾体２５の窓口２５ａは板部材２０ａの奥行き方向に開口幅が拡大するよう形成される。すなわち、パチンコ機１０の前側から窓口２５ａを覗き込んだときに、窓口２５ａを通じて設置部材２０ｂの収容空間８０を広範囲に視認でき、設置部材２０ｂに設置される演出部材８２の大きさや外形、配置位置等の設計自由度を高めることができる。更に、発射領域側開口領域４５ｂの前側に流路５５および案内路５７が画成されることで、流路５５および案内路５７を流下するパチンコ球と演出部材８２との間に前後差を設けて立体感を出すことができる。
【００６２】
前記第１球流下領域２１ａにおいて、前記台板部５０の前側には、前記発射口３１から発射されたパチンコ球の飛翔経路を前記ガイド部２７との間に画成する第１〜第３突部１０１,１０２,１０３が前方に突出するよう設けられている。従って、台板部５０の前側にパチンコ球の流路５５を画成した構成であっても、発射通路３０の発射口３１から遊技領域２１の発射領域に発射されたパチンコ球を台板部５０の前側において第１〜第３突部１０１,１０２,１０３に当接させて挙動に変化を与えることができ、遊技の興趣を高めることができる。
【００６３】
前記左転動面６２に沿って流下するパチンコ球は、他のパチンコ球との衝突等によって突部間流路５５ｂ側に跳ね上がり、ガイド部２７側へ向けて上昇移動することがある。ここで、前記流路５５から前記飛翔経路(ガイド部２７側)へ向けたパチンコ球の移動を制限する移動制限手段(傾斜面１０１ｃ,１０２ｃ,１０３ｃおよび球止め部１０３ｅ)が前記第１〜第３突部１０１,１０２,１０３に設けられていることで、ガイド部２７および第１〜第３突部１０１,１０２,１０３の間におけるパチンコ球の飛翔が妨げられるのを防止し得る。従って、発射領域に打ち出されたパチンコ球と、新たに打ち出されたパチンコ球との衝突を防いで、意図する位置へのパチンコ球の打ち出しを可能にすることができるから、パチンコ球の挙動に一喜一憂するというパチンコ遊技特有の興趣を損うことがない。また、発射通路３０の発射口３１に近接する側から離間する側に向かって下方傾斜する傾斜面１０３ｃと、該傾斜面１０３ｃにおける発射通路３０の発射口３１に近接する傾斜上端部から上方へ突出する球止め部１０３ｅとを第３突部１０３の外周面に設けることで、流路５５から発射通路３０の発射口３１側へ向かうパチンコ球の勢いを第３突部１０３の傾斜面１０３ｃによって削ぐことができ、発射口３１からのパチンコ球の放出が妨げられるのを抑制できる。また、傾斜面１０３ｃを傾斜上端側へ向けて移動するパチンコ球を球止め部１０３ｅによって該傾斜面１０３ｃの下流側に戻すことができるから、傾斜面１０３ｃを上り移動するパチンコ球が発射通路３０の発射口３１から放出されるパチンコ球の進行の妨げになることはない。更に、移動制限手段(傾斜面１０３ｃ、球止め部１０３ｅ)を、複数の突部１０１,１０２,１０３の内で最も発射通路３０の発射口３１に近接する第３突部１０３に設けることにより、発射球が集中する発射口３１近傍においてパチンコ球の逆戻りを効果的に防ぎ、発射口３１からのパチンコ球の放出が妨げられるのを抑制できる。
【００６４】
また、前記第１球流下領域２１ａにおいて、前記台板部５０の前面側には、球戻り防止片３２が取り付けられる取付部３３を挟んで前記発射通路３０の発射口３１とは反対側に位置するよう第４突部(保護突部)１０４が設けられ、該第４突部１０４によって前記流路５５を流下するパチンコ球が取付部３３に当接するのを規制している。これにより、取付部３３を保護するための遊技釘２６を前記板部材２０ａに設ける必要がなく、板部材２０ａの装着口４５を内レール２２ｂの近傍まで最大限に拡大でき設置部材２０ｂに設置される演出部材８２の大型化や視認性の向上を図ることができる。また、装着口４５を枠状装飾体２５の台板部５０が覆って前側に流路５５を形成することにより、パチンコ球が流下し得る遊技領域２１の面積が縮小することはない。
【００６５】
前記第２球流下領域２１ｂにおいて、前記台板部５０の前面側には、一列のパチンコ球が通過可能な通路幅で前記装着口４５における流下経路側開口領域４５ｃの前側に位置するよう案内路５７が形成されている。また、当該案内路５７を流下するパチンコ球の流下方向を変更させる流路変更部１１１が、右側盤面飾り部材２２ｃとの隣接位置において記庇状部６１と対向するよう設けられ、前記案内路５７が流下経路側開口領域４５ｃの前側において右側盤面飾り部材２２ｃに対して近接および離間する方向に蛇行するよう形成される。すなわち、案内路５７を一列のパチンコ球が通過可能な通路幅で設けることにより、案内路５７によってパチンコ球を意図した場所まで迅速に案内できるから、第１および第２球流下領域２１ａ,２１ｂを利用した遊技性を採用してパチンコ球の挙動の面白みを付与し得る。ここで、前記装着口４５を、右縁(パチンコ球の打ち出し側と反対側の開口縁)がレール部材２２に対してパチンコ球の直径より近接した位置で該レール部材２２に沿うよう板部材２０ａに形成し、装着口４５の流下経路側開口領域４５ｃを覆うように台板部５０を設けて該台板部５０の前側に案内路５７を形成することにより、装着口４５を大きく形成して板部材２０ａおよび設置部材２０ｂの間のスペースを拡大しつつ、台板部５０の前面側に充分に確保されるスペースを利用してパチンコ球を適度に減速させ得るよう案内路５７を形成できる。従って、案内路５７によってパチンコ球を入球部(実施例におけるゲート部３８)側に案内する構成であっても、入球部の形成部位の破損を防止することができる。
【００６６】
前記第２球流下領域２１ｂの前記案内路５７が、前記緩衝部材２４よりパチンコ球の打ち出し側(すなわち、庇状部６１の頂部６１Ｔと、緩衝部材２４との間)に位置して外レール２２ａに沿うように湾曲する上流経路５７ａと、該緩衝部材２４の下方に位置して右側盤面飾り部材２２ｃに対して近接および離間する方向に蛇行する下流経路５７ｂとから構成されている。すなわち、案内路５７の内で緩衝部材２４の下方に位置する下流経路５７ｂを蛇行状に設けることにより、緩衝部材２４および下流経路５７ｂによってパチンコ球の流速を確実に低減させて下流側に位置する部材の破損を防止できる。また、下流経路５７ｂを前側から視認可能に覆う前壁部１１２を前記枠状装飾体２５に設けることにより、前壁部１１２に減速リブ１１３を設けてパチンコ球を減速することができる他、当該前壁部１１２に装飾を施すことでパチンコ球の流下態様を強調したりすることも可能となり、案内路５７の設計自由度を高めることができる。
【００６７】
前記案内路５７の通出口５７ｃが開口する流下領域(第２球流下領域２１ｂ)が、複数のパチンコ球が並んで流下可能な幅の流下領域として画成され、該流下領域にゲート部３８が設けられている。従って、案内路５７を通過して前記第２球流下領域２１ｂに導かれたパチンコ球を該流下領域で引き続き転動させて、該流下領域においてゲート部３８にパチンコ球が入球するか否かによって遊技者の期待を集めることができる。
【００６８】
前記案内路５７を流下するパチンコ球の流下方向を変更させる流路変更部１１１が、前記庇状部６１に沿って延在する板状に形成されることにより、流路変更部１１１を設置するためのスペースが抑えられる。また、当該板状の流路変更部１１１が、前記レール部材２２(右側盤面飾り部材２２ｃ)と、該レール部材２２に対してパチンコ球の直径より近接する前記装着口４５の開口縁との間(すなわち、パチンコ球の直径より小さい幅寸法)に位置する板部材２０ａの前面側に設けられることにより、流路変更部１１１とレール部材２２(右側盤面飾り部材２２ｃ)との間に生じ得るデッドスペースの大きさが最小限に抑えられる。すなわち、庇状部６１およびレール部材２２(右側盤面飾り部材２２ｃ)の間のスペースを最大限に利用して案内路５７を形成することで、枠状装飾体２５における庇状部６１の内側に窓口２５ａを大きく形成して演出部材８２の視認性を高めることができる。
【００６９】
(変更例)
本発明は、前述の実施例に限定されず、以下の如く変更することも可能である。
(１) 実施例では、レール部材として右側盤面飾り部材を採用し、当該右側盤面飾り部材における円弧状の凹面をなす左側面により遊技領域を画成したが、枠状装飾体の台板部に流路変更部が設けられる場合には、当該流路変更部により遊技領域の一部を画成してもよい。この場合には、右側盤面飾り部材の一部を省略することもできる。
(２) 実施例では、第１〜第５突部を枠状装飾体の台板部と一体的に形成したが、各突部を別体として台板部に取り付ける構成としてもよいし、第３突部(発射口より上側に位置する突部の内で最も近接する突部)や第４突部(取付部に対するパチンコ球の衝突を防止する突部)のみを別体として台板部に取り付ける構成としてもよい。
(３) 実施例では、第４突部を球戻り防止片の取付部に隣接するよう台板部に設けることで該取付部を第４突部で保護する構成としたが、第４突部に隣接して発射口との対応位置に位置するよう球戻り防止片の取付部を台板部に設けることで、更に装着口の大型化を図ることもできる。
(４) 実施例では、第１〜第５突部を遊技釘の外形よりも大きなブロック状に形成したが、少なくとも１つの突部を、遊技釘の外形と同等または遊技釘の外形より小さい突起状に形成してもよい。
(５) 実施例では、第１〜第５突部を遊技釘の外形よりも大きなブロック状に形成したが、少なくとも１つの突部を、発射口に対して離間する側(右側)から近接する側(左側)へ向けて下方傾斜する板状に形成してもよい。この場合には、板状の突部の上面を受け面として用い、該突部の下面を移動制限手段として用いることができる。
(６) 実施例では、移動制限手段として先端側が窄まる突起状の球止め部を突部に設けたが、球止め部はこれに限られず、壁状または他の形状であってもよい。例えば、突部において上面が傾斜状の球止め部を設け、該球止め部の上面と、移動制限手段としての傾斜面とが階段状に連続するよう構成してもよい。
(７) 実施例では、案内路における下流経路の前側を、枠状装飾体に取り付けられる前壁部によって画成するよう構成したが、前壁部を設けない構成としてもよい。また、前壁部を枠状装飾体と一体に形成してもよい。更に、前壁部が上流経路の前側を覆う構成であってもよい。
(８) 実施例の枠状装飾体には、庇状部や延出部を台板部と一体に形成したが、庇状部や延出部を別体として台板部に取り付ける構成であってもよい。
(９) 実施例では、案内路の下流経路を、庇状部および流路変更部の間で左右に蛇行する形状としたが、前後に蛇行する形状としてもよい。この場合には、装着口の流下領域側開口領域を案内路の設置スペースとして利用することができる。
(１０) 実施例では、遊技機としてパチンコ機を例に挙げて説明したが、遊技球を使用して遊技を行う雀球遊技機やアレンジボール機等の他の遊技機であってもよい。
【符号の説明】
【００７０】
２０ａ 板部材
２１ 遊技領域
２２ レール部材
２５ 枠状装飾体
３０ 発射通路
３１ 発射口
４５ 装着口
４５ｂ 発射領域側開口領域(装着口のうちで正面視において壁状部よりもレール部材に位置する部分)
５０ 台板部
５５ａ 庇側流路(第１の流路)
５５ｂ 突部間流路(第２の流路)
６１ 庇状部(壁状部)
７１ 庇飾り(飾り部)
８２ 演出部材
９０ａ 前側の開口領域(空間)
１０１ 第１突部(突部)
１０１ｃ 傾斜面 (移動制限手段)
１０２ 第２突部(突部)
１０２ｃ 傾斜面 (移動制限手段)
１０３ 第３突部(突部)
１０３ｃ 傾斜面 (移動制限手段)
１０３ｅ 球止め部(移動制限手段)
【図１】
2018079390.tif 000003
【図２】
2018079390.tif 000004
【図３】
2018079390.tif 000005
【図４】
2018079390.tif 000006
【図５】
2018079390.tif 000007
【図６】
2018079390.tif 000008
【図７】
2018079390.tif 000009
【図８】
2018079390.tif 000010
【図９】
2018079390.tif 000011
【図１０】
2018079390.tif 000012
【図１１】
2018079390.tif 000013
【図１２】
2018079390.tif 000014
【図１３】
2018079390.tif 000015
【図１４】
2018079390.tif 000016